(57)【特許請求の範囲】
【請求項１】
中間層を有する少なくとも三層のベッド用マットレスにおいて、前記中間層が、複数の塊状物を少なくとも一部の塊状物間にベッド用マットレスの側部外方と通じる通気用隙間が残るようにして配置し前記中間層両側の層の内側面に固定した層で構成され、
中間層両側の層が少なくともベッド用マットレスの厚み方向に通気性を有する弾性体からなると共に、前記中間層両側の層のうち一側の層の弾性体は通気性１００〜２００ｌ／ｍｉｎ、他側の層の弾性体は通気性５０〜８０ｌ／ｍｉｎからなり、前記中間層の塊状物間の通気用隙間を介してベッド用マットレスの厚み方向両側外方と中間層の側部外方間で通気性を有し、
塊状物の平面視面積の合計が中間層の平面視面積に対して３０〜９０％であることを特徴とするベッド用マットレス。
【請求項２】
中間層を有する少なくとも三層のベッド用マットレスにおいて、前記中間層が、複数の塊状物を少なくとも一部の塊状物間にベッド用マットレスの側部外方と通じる通気用隙間が残るようにして配置し前記中間層両側の層の内側面に固定した層で構成され、
中間層両側の層が少なくともベッド用マットレスの厚み方向に通気性を有する弾性体からなると共に、前記中間層両側の層のうち一側の層の弾性体は通気性１００〜２００ｌ／ｍｉｎ、他側の層の弾性体は通気性５０〜８０ｌ／ｍｉｎからなり、前記中間層の塊状物間の通気用隙間を介してベッド用マットレスの厚み方向両側外方と中間層の側部外方間で通気性を有し、
塊状物の配置密度が中間層内で部分的に異なり、頭部や腰部を支持する部分については塊状物の数を増やして配置密度を高め、足や背中を支持する部分については塊状物の数を減少させて配置密度を減らしたことを特徴とするベッド用マットレス。
【請求項３】
塊状物が弾性体からなることを特徴とする請求項１または２に記載のベッド用マットレス。
【請求項４】
塊状物の硬さが３０〜５００Ｎであることを特徴とする請求項３に記載のベッド用マットレス。
【発明の詳細な説明】
【０００１】
【発明の属する技術分野】
この発明は、多層構造からなるベッド用マットレスに関する。
【０００２】
【従来の技術】
従来、例えばウレタンフォームからなるベッド用マットレスは、快適な接触感と腰痛等を回避するために表面にプロファイル加工して凹凸面を形成したもののほか、硬さの異なるウレタンフォームを積層するなどしてクッション性を高めたものなどが提案されている。
【０００３】
しかるに、人体の頭部や胸部、腰部、脚部の体重比率は当然異なり、各部位によってマットレスにかかる体圧は均等ではないため、これまでのように均一な素材や、単純な素材の積層、あるいは単純なプロファイル加工したものでは、十分に対応することは容易ではない。
【０００４】
また、就寝中の汗や熱がマットレス内に滞留する、いわゆる熱ごもりは使用者に不快感や寝心地の悪さを与えるのみならず、マットレスの衛生面でも好ましくないなどの問題点がある。これに対しては、例えばマットレスに複数の放熱孔を形成することが提案されている。
【０００５】
しかしながら、前記放熱のための孔を形成する方法も、マットレスの形状保持のための剛性がなくならないよう１０〜１５φの小径のものしか形成することができず、充分な放熱効果が得られるものではなかった。特にウレタンフォーム等のようなマットレス用素材は、断熱材としても用いられ、熱を保持する効果を持つものであるため、放熱は容易ではない。
【０００６】
【発明が解決しようとする課題】
この発明は前記の点に鑑みなされたもので、熱ごもりを解消できる高い通気性を有し、しかも使用者の体圧を分散して良好な感触が得られる新規なベッド用マットレスを提供するものである。
【０００７】
【課題を解決するための手段】
すなわち、請求項１の発明は、中間層を有する少なくとも三層のベッド用マットレスにおいて、前記中間層が、複数の塊状物を少なくとも一部の塊状物間にベッド用マットレスの側部外方と通じる通気用隙間が残るようにして配置し前記中間層両側の層の内側面に固定した層で構成され、中間層両側の層が少なくともベッド用マットレスの厚み方向に通気性を有する弾性体からなると共に、前記中間層両側の層のうち一側の層の弾性体は通気性１００〜２００ｌ／ｍｉｎ、他側の層の弾性体は通気性５０〜８０ｌ／ｍｉｎからなり、前記中間層の塊状物間の通気用隙間を介してベッド用マットレスの厚み方向両側外方と中間層の側部外方間で通気性を有し、塊状物の平面視面積の合計が中間層の平面視面積に対して３０〜９０％であることを特徴とするベッド用マットレスに係る。
【０００８】
また、請求項２の発明は、中間層を有する少なくとも三層のベッド用マットレスにおいて、前記中間層が、複数の塊状物を少なくとも一部の塊状物間にベッド用マットレスの側部外方と通じる通気用隙間が残るようにして配置し前記中間層両側の層の内側面に固定した層で構成され、中間層両側の層が少なくともベッド用マットレスの厚み方向に通気性を有する弾性体からなると共に、前記中間層両側の層のうち一側の層の弾性体は通気性１００〜２００ｌ／ｍｉｎ、他側の層の弾性体は通気性５０〜８０ｌ／ｍｉｎからなり、前記中間層の塊状物間の通気用隙間を介してベッド用マットレスの厚み方向両側外方と中間層の側部外方間で通気性を有し、状物の配置密度が中間層内で部分的に異なり、頭部や腰部を支持する部分については塊状物の数を増やして配置密度を高め、足や背中を支持する部分については塊状物の数を減少させて配置密度を減らしたことを特徴とするベッド用マットレスに係る。
【０００９】
請求項３の発明は、請求項１または２において、塊状物が弾性体からなることを特徴とする。
【００１０】
請求項４の発明は、請求項３において、塊状物の硬さが３０〜５００Ｎであることを特徴とする。
【００１１】
【発明の実施の形態】
以下添付の図面に従ってこの発明を詳細に説明する。
図１はこの発明の一実施例に係るベッド用マットレスを示す部分切り欠き斜視図、図２は図１の２−２断面図、図３は塊状物の他の固定例を示す断面図、図４はベッド用マットレスの他の例を示す部分切り欠き斜視図、図５は図４の５−５断面図である。
【００１２】
図１に示す実施例のベッド用マットレス１０は、中間層２０を有する三層構造からなるもので、中間層２０が、該中間層２０両側の層１１，１５間に複数の塊状物２５，２５，２５を少なくとも一部の塊状物２５，２５間にベッド用マットレス１０の側部１０１外方と通じる通気性隙間Ｓが残るように配置した層で構成されたものである。実施例では、三層の総厚みが４０〜２００ｍである。
【００１３】
前記塊状物２５は、図２からもわかるように、前記中間層２０両側の層１１，１５の内側面１２，１６に、接着剤等により接着、もしくはその他の適宜の方法により固定される。前記塊状物２５の配置としては、図１及び図２のように所定間隔をおいて整列させたものや、前記中間層２０内で部分的に塊状物２５の配置密度を異ならせて塊状物２５の数を増減させてもよい。特に、頭部や腰部を支持する部分のように大きな体圧の加わる部分については塊状物２５の数を増やして配置密度を高め、それに対して足や背中を支持する部分のようにそれほど体圧が加わらないその他の部分については、前記塊状物２５の数を減少させて配置密度を減らすのが好ましい。なお、前記塊状物２５の接着剤は、ゴム系、ウレタン系、ウレタン系ポリマー系、エマルジョン系等適宜のものが使用され、前記塊状物２５の材質に合わせて選択される。
【００１４】
さらに、図１及び図２の実施例では、前記中間層２０両側の層１１，１５の内側面１２，１６に前記塊状物２５を接着固定したものであるが、このほか、図３の断面図に示す他の例のマットレス１０Ａのように、両側の層１１Ａ，１５Ａもしくは片方の層１５Ａ（又は１１Ａ）の内側面１２Ａ，１６Ａに塊状物２５形状に応じた適宜凹部１３Ａ，１７Ａを設け、前記塊状物２５が前記凹部１３Ａ，１７Ａに嵌合して固定されるような構造としたり、さらに接着剤を併用してもよい。
【００１５】
また、前記塊状物２５がこの実施例のような立方体や図示しない他の多面体形状のように表面に角部を有する場合には、図４及び図５に示すように、塊状物２５に多様な傾きを付けた状態で当該塊状物２５を中間層２０Ｂ両側の層１１Ｂ，１５Ｂ間に配置することにより、前記塊状物２５表面の角部がマットレス１０Ｂ表面において指圧効果を生じさせるようにしてもよい。
【００１６】
前記塊状物２５は、ベッド用マットレス１０のサイズにもよるが、通気性と適度なクッション性（揺れ性）を満たすために高さが２０ｍｍ〜６０ｍｍであることが好ましい。図示の例の塊状物２５は、一辺４５ｍｍの立方体である。また、前記塊状物２５の一個あたりの平面視面積（マットレス１０上面からの投影面積とも言えるものであり、立方体あるいは円柱を直立させる場合の上面又は下面の面積に相当する）は３００〜７５００ｍｍ２であることが好ましく、それ以下では体圧を分散する効果に乏しく単位面積あたりにかかる体圧が非常に大きくなるため、使用者に底付き感を感じさせるおそれがあり、それ以上である場合には、クッション性が損なわれるおそれがある。さらに、前記塊状物２５の平面視面積の合計が中間層２０の平面視面積（この例では前記中間層２０の他側（下側）の層１５における内側面１６の面積に相当する）に対して３０〜９０％が好ましい。この平面視面積の合計が３０％よりも小さいと塊状物２５の高さなどにもよるが、クッション性が悪くなり、揺れ返しが大きくなったり、耐久性も悪くなる。逆に９０％を超えると、前記塊状物２５が密集した状態となり、通気性が低下し、クッション性も低下する。なお、前記塊状物２５の形状としては、図のようなもの他、円柱状・直方体もしくは球状のものなど、特に限定するものではない。
【００１７】
また、前記塊状物２５の材質は、特に限定されるものではなく、木、金属、プラスチック等適宜のものとされるが、中でも弾性体からなるものが好ましい。弾性体としては、ポリウレタンフォームやポリエチレンフォーム等の発泡体や、それらの発泡体の砕片をバインダーで結合したチップフォーム等が一般的である。さらに、前記塊状物２５が弾性体からなる場合には、当該塊状物２５の硬さは３０〜５００Ｎ（ＪＩＳ  Ｋ  ６４００）が、適度なクッション性や底付き感防止を得るために好適である。またさらには、前記塊状物２５が弾性体からなる場合には、密度が４０〜１５０ｋｇ／ｍ３（ＪＩＳ  Ｋ  ６４００）で、反発弾性が４０〜８０％（ＪＩＳ  Ｋ  ６４００）のものが、クッション性の点で好ましい。
【００１８】
前記中間層２０両側の層１１，１５は、ポリウレタンフォーム等の弾性体で構成されるが、少なくともベッド用マットレス１０の厚み方向Ｔに通気性を有する弾性体、例えば連通気泡を主体とする公知の軟質ポリウレタンフォームとされ、前記中間層２０の塊状物２５，２５間の通気用隙間Ｓを介してベッド用マットレス１０の厚み方向Ｔ外方と中間層２０の側部１０１外方間で通気性を有するようにされるのが好ましい。
【００１９】
さらに前記中間層２０の一側の層１１を構成する弾性体と他側の層１５を構成する弾性体とは、互いに通気性の異なるものが好ましい。通気性の違いは保温性の違いとなるため、季節や、好みに応じて該マットレスを裏返して使用するリバーシブルとすることができる。前記通気性を異ならせる簡単な方法として、前記中間層２０両側の層１１，１５を構成する弾性体として、連通気泡を主体とする軟質ポリウレタンフォームを用い、その軟質ポリウレタンフォームのセルサイズや密度を前記両側の層１１，１５で異ならせる方法を示す。この場合、セルサイズを小さくしたり、密度を高くしたりすれば通気性が低くなり、逆にセルサイズを大きくしたり、密度を低くしたりすれば通気性が高くなる。異なる通気性の例として、前記一側の層１１を通気性１００〜２００ｌ／ｍｉｎ（ＪＩＳ  Ｋ  ６４００）、他側の層１５を通気性５０〜８０ｌ／ｍｉｎ（ＪＩＳ  Ｋ  ６４００）とする場合を示す。
【００２０】
なお、前記実施例では三層構造のものを示したが、この発明は三層構造に限るものではなく、例えば中間層の少なくとも一側を二層以上としてもよい。さらに、前記塊状物は、形状、サイズ、物性等が同一のものである必要はなく、それらの異なるものを混在させて配置し中間層を構成してもよい。
【００２１】
【発明の効果】
以上図示し説明したように、この発明のベッド用マットレスによれば、複数の塊状物を少なくとも一部の塊状物間にベッド用マットレスの側部外方と通じる通気性隙間が残るように配置した層で中間層を構成したため、マットレス中間層に連通した隙間が形成されることとなって、熱ごもりを確実に解消することができるとともに、中間層を構成する塊状物によって底付き感を防止することもできる。しかも、塊状物間の隙間は、塊状物の間隔を調節することによって、通気性を容易にコントロールすることができる。
【００２２】
さらに、中間層両側の層を、厚み方向に通気性のある弾性体とすれば、使用時におけるマットレスの上下外方（厚み方向）と側部外方（長さ方向及び幅方向）との間で通気性を確保でき、三次元方向に対して良好な通気性が得られる。特に、ベッド用マットレスは、下面が床面等によって塞がれることが多いため、上下方向のみの通気性では、上面に位置する人体からの熱や汗等を良好に処理できないことが多いが、この発明では、上下方向（厚み方向）のみならず水平方向（長さ方向及び幅方向）にも通気性が確保されているため、マットレス上面の人体の熱や汗等に対し良好に作用することができる。
【００２３】
さらにまた、中間層の一側と他側とで通気性を異ならせれば、季節や好みに応じて裏表を使い分けることができ、快適な睡眠が得られるようになる。
また、塊状物を弾性体で構成すれば、ベッド用マットレスのクッション性を損ねることもない。
【００２４】
さらにまた、塊状物の平面視面積の合計が中間層の平面視面積に対して３０〜９０％となるようにすれば、より良好な通気性を確保することができ、また弾性体からなる塊状物の硬さを３０〜５００Ｎとすれば、クッション性もより良好となる。
【００２５】
さらにまた、塊状物の配置密度を中間層内で部分的に異ならせることによって、ベッド用マットレスの硬さを部分的に異ならせることができ、体圧に応じたものとすることもできる。
【図面の簡単な説明】
【図１】  この発明の一実施例に係るベッド用マットレスを示す部分切り欠き斜視図である。
【図２】  図１の２−２断面図である。
【図３】  塊状物の他の固定例を示す断面図である。
【図４】  ベッド用マットレスの他の例を示す部分切り欠き斜視図である。
【図５】  図４の５−５断面図である。
【符号の説明】
１０  ベッド用マットレス
１１  中間層の一側の層
１５  中間層の他側の層
２０  中間層
２５  塊状物
【図１】
0003946495.tif 000002
【図２】
0003946495.tif 000003
【図３】
0003946495.tif 000004
【図４】
0003946495.tif 000005
【図５】
0003946495.tif 000006